(57)【要約】【課題】ヘッドホン装置の装着時／非装着時における利便性を向上可能なヘッドホン装置を提供する。【解決手段】聴取者の左耳および右耳に装着され、音声信号源からの信号を出力する一対の出力ユニット１０、２０と、聴取者に装着され、両端に連結された各出力ユニットを接近させる方向に撓むことで、聴取者の左耳および右耳に対する出力ユニットの装着状態を保持する可撓性のバンド３０と、バンドに挿通され、バンドに作用してバンドを撓ませる圧力の変化に基づいて、バンドの装着および非装着を検出する第１の装着センサ８４と、第１の装着センサがバンドの装着を検出した場合に、音声信号源からの再生を開始させ、第１の装着センサがバンドの非装着を検出した場合に、音声信号源からの再生を停止させる制御部４６と、を備える。【選択図】図２
2009278268.tif 000002
【特許請求の範囲】
【請求項１】
聴取者の左耳および右耳に装着され、音声信号源からの信号を出力する一対の出力ユニットと、
聴取者に装着され、両端に連結された前記各出力ユニットを接近させる方向に撓むことで、聴取者の左耳および右耳に対する前記出力ユニットの装着状態を保持する可撓性のバンドと、
前記バンドに挿通され、前記バンドに作用して前記バンドを撓ませる圧力の変化に基づいて、前記バンドの装着および非装着を検出する第１の装着検出部と、
前記第１の装着検出部が前記バンドの装着を検出した場合に、前記音声信号源からの再生を開始させ、前記第１の装着検出部が前記バンドの非装着を検出した場合に、前記音声信号源からの再生を停止させる制御部と、
を備えたヘッドホン装置。
【請求項２】
前記制御部は、前記バンドが非装着状態から装着状態へ移行する際に前記バンドに作用する圧力の変化を前記第１の装着検出部が検出した場合に、所定の初期処理を行った後に前記音声信号源からの再生を開始させる、請求項１に記載のヘッドホン装置。
【請求項３】
少なくとも一方の前記出力ユニットに設けられ、前記出力ユニットの装着／非装着を検出する第２の装着検出部をさらに備え、
前記制御部は、前記第１の装着検出部が前記バンドの装着を検出した後に、前記第２の装着検出部が前記出力ユニットの装着を検出した場合に、前記音声信号源からの再生を開始させ、前記第２の装着検出部が前記出力ユニットの非装着を検出した後に、前記第１の装着検出部が前記バンドの非装着を検出した場合に、前記音声信号源からの再生を停止させる、請求項１に記載のヘッドホン装置。
【請求項４】
前記制御部は、前記第１の装着検出部が前記バンドの非装着を検出した場合に、前記音声信号源からの再生を停止させた後に、前記出力ユニットに設けられている操作部に対する操作を無効化する、請求項１に記載のヘッドホン装置。
【請求項５】
前記第１の装着検出部には、圧電素子が設けられる、請求項１に記載のヘッドホン装置。
【発明の詳細な説明】
【技術分野】
【０００１】
本発明は、ヘッドホン装置に関する。
【背景技術】
【０００２】
近年、内蔵または着脱可能な半導体メモリに記憶された音声信号を再生することで、音声の聴取を可能とする携帯型の音声再生機器が普及している。この種の音声再生機器では、再生装置の小型化が可能であるので、ヘッドホン装置に再生装置が内蔵される場合もある。
【０００３】
再生装置内蔵型のヘッドホン装置では、一般に、ヘッドホン装置に操作用のコントローラの機能を持たせることで、音声再生機器の携帯性の向上が図られる場合もある。そして、この場合には、音声再生の開始、停止など、音声再生機器を操作するためのキー、スイッチなどをヘッドホン装置に直接配置することが一般的である。
【０００４】
しかし、聴取者（ユーザ）は、ヘッドホン装置を装着した状態でキーなどを操作するので、キー配置などを予め覚えておき視認することなしにキーなどを操作する必要がある。このため、ヘッドホン装置の装着／非装着時における操作性が低下してしまう。
【０００５】
このため、例えば、下記特許文献１、２には、ユーザの耳介に装着される出力ユニットに接触式センサを設け、ヘッドホン装置の装着／非装着をセンサにより検出することで、音声再生の開始／停止を制御するヘッドホン装置が記載されている。
【０００６】
【特許文献１】特開２００３−３７８８６号公報
【特許文献２】特開平８−１９５９９７号公報
【０００７】
しかしながら、特許文献１、２に記載のヘッドホン装置では、出力ユニットに再生装置を設け、さらに出力ユニットに十分な検出精度を確保可能なセンサを単独で設ける必要があるので、出力ユニットが大型化してしまい、装着／非装着時の利便性が低下する場合がある。また、ユーザに対する出力ユニットの接触を介してヘッドホン装置の装着が検出された後に、音声再生が開始されるので、音声再生前に所定の初期処理などが必要な場合には、装着から音声再生の開始までに時間を要してしまい、装着／非装着時の利便性が低下する場合がある。
【発明の開示】
【発明が解決しようとする課題】
【０００８】
本発明は上記問題点に鑑みてなされたものであり、その目的は、装着時／非装着時における利便性を向上可能な、新規かつ改良されたヘッドホン装置を提供することにある。
【課題を解決するための手段】
【０００９】
上記課題を解決するために、本発明の第１の観点によれば、聴取者の左耳および右耳に装着され、音声信号源からの信号を出力する一対の出力ユニットと、聴取者に装着され、両端に連結された各出力ユニットを接近させる方向に撓むことで、聴取者の左耳および右耳に対する出力ユニットの装着状態を保持する可撓性のバンドと、バンドに挿通され、バンドに作用してバンドを撓ませる圧力の変化に基づいて、バンドの装着および非装着を検出する第１の装着検出部と、第１の装着検出部がバンドの装着を検出した場合に、音声信号源からの再生を開始させ、第１の装着検出部がバンドの非装着を検出した場合に、音声信号源からの再生を停止させる制御部と、を備えたヘッドホン装置が提供される。
【００１０】
かかる構成によれば、第１の装着検出部を用いて、バンドに作用してバンドを撓ませる圧力の変化を検出し、検出結果に基づいてバンドの装着／非装着が検出され、音声再生の開始／停止が制御されるので、ヘッドホン装置の装着時／非装着時における利便性を向上させることができる。また、バンドに挿通された第１の装着検出部によりバンドの装着／非装着が検出されるので、出力ユニットにセンサを単独で設ける場合に比して、出力ユニットの大型化を抑制することができる。
【００１１】
また、上記制御部は、バンドが非装着状態から装着状態へ移行する際にバンドに作用する圧力の変化を第１の装着検出部が検出した場合に、所定の初期処理を行った後に音声信号源からの再生を開始させてもよい。これにより、聴取者に対する出力ユニットの接触を介してヘッドホン装置の装着が検出された後に初期処理を行う場合に比して、初期処理の実行開始を早めて、装着から再生開始までに要する時間を短縮することができる。
【００１２】
また、少なくとも一方の出力ユニットに設けられ、出力ユニットの装着／非装着を検出する第２の装着検出部をさらに備え、制御部は、第１の装着検出部がバンドの装着を検出した後に、第２の装着検出部が出力ユニットの装着を検出した場合に、音声信号源からの再生を開始させ、第２の装着検出部が出力ユニットの非装着を検出した後に、第１の装着検出部がバンドの非装着を検出した場合に、音声信号源からの再生を停止させてもよい。これにより、第１および第２の装着検出部による検出結果に応じて、再生開始／再生停止が制御されるので、ヘッドホン装置の装着／非装着時の制御を確実にすることができる。
【００１３】
また、上記制御部は、第１の装着検出部がバンドの非装着を検出した場合に、音声信号源からの再生を停止させた後に、出力ユニットに設けられている操作部に対する操作を無効化してもよい。これにより、バンドの非装着時には操作部に対する操作が無効化されるので、誤操作を防止することができる。
【発明の効果】
【００１４】
本発明によれば、装着時／非装着時における利便性を向上可能なヘッドホン装置を提供することができる。
【発明を実施するための最良の形態】
【００１５】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１６】
（ヘッドホンの構成）
図１は、本発明の一実施形態に係るヘッドホンの外観を示す説明図である。ヘッドホンは、ユーザの左耳に装着される左ユニット１０、右耳に装着される右ユニット２０、両ユニット１０、２０を連結するバンド３０を含んで構成される。
【００１７】
ここで、ヘッドホンは、ユーザの後頭部（首部）をバンド３０が通過するネックバンド形式のヘッドホンである。なお、以下では、本発明がネックバンド形式のヘッドホンに適用される場合について説明するが、バンド３０がユーザの頭頂部を通過するヘッドバンド形式のヘッドホン、顎下部を通過するアンダーチンバンド形式のヘッドホンに適用される場合についても同様である。
【００１８】
バンド３０は、一端が左ユニット１０に接続され、接続部の近傍が湾曲して左耳通過部３２となり、他端が右ユニット２０に接続され、接続部の近傍が湾曲して右耳通過部３４となっている。ユーザは、両ユニット１０、２０に取付けられた出力部１２、２２を両耳の外耳道に各々に挿入し、左耳通過部３２を左耳上方の側頭部に当て、右耳通過部３４を右耳上方の側頭部に当てることで、ヘッドホンを装着する。
【００１９】
バンド３０には、バンド３０の形状を維持する形状維持材８２、ユーザによるバンドの装着／非装着を検出する第１の装着センサ８４、両ユニット１０、２０を電気的に接続する電源線、信号線などの線材８６が挿通されている（図４参照）。形状維持材８２は、例えばバネなどの弾性材であり、両ユニット１０、２０を接近させるようにバンド３０を撓ませる。第１の装着センサ８４は、例えばピエゾ素子などの圧電素子であり、バンド３０（バンド３０に挿通された圧電素子）に作用してバンド３０を撓ませる圧力の変化を検出する。
【００２０】
ヘッドホンが装着される際に、バンド３０は、両ユニット１０，２０間の直線距離がユーザの略顔面幅（左耳の耳介と右耳の耳介との間の直線距離に相当する。）より大きくなるように、装着前の初期状態に対して両ユニット１０、２０を遠ざけるように撓められた状態で保持され、両ユニット１０、２０が両耳の近傍に配置された後に撓み状態の保持が解かれる。すると、バンド３０は、形状維持材８２の弾性により両ユニット１０、２０を近づけるように撓み、装着前の初期状態に対して両ユニット１０、２０を遠ざけるように撓んだ状態で、ユーザの後頭部に装着される。
【００２１】
一方、ヘッドホンが外される際に、バンド３０は、ユーザの後頭部に装着された状態から、ユーザの略顔面幅より大きめに両ユニット１０、２０を遠ざけるように撓められた状態を保持され、バンド３０がユーザの後頭部から外されて、撓み状態の保持が解かれる。すると、バンド３０は、形状維持材８２の弾性により両ユニット１０、２０を近づけるように撓み、装着前の初期状態に戻る。
【００２２】
第１の装着センサ８４は、前述したようなヘッドホンの装着／非装着に際してバンド３０に撓みの変化を生じさせるように作用する圧力を検出することで、バンド３０の装着／非装着を検出する。
【００２３】
図２は、ヘッドホンの主要な構成要素を示す説明図である。ヘッドホンの左ユニット１０には、基板１４が内蔵され、左ユニット１０の側部には、データ入力インタフェース（ＩＦ）４２、キー６０、ホールドスイッチ６２が配置されている（図１、図３参照）。また、右ユニット２０には、接続基板２４、充電池２６が内蔵され、右ユニット２０の側部には、キー７４が配置されている（図１、図３参照）。なお、キー６０、７４は、スイッチなど、他の操作部として設けられてもよい。
【００２４】
データ入力インタフェース４２は、音声データを格納している記録装置などに信号ケーブルを介して接続される。音声データは、データ入力インタフェース４２を通じて記録装置から取得されてメモリ４４に記憶され、制御部４６の制御によりメモリ４４から読出される。音声データは、例えばＭＰ３形式などで圧縮符号化されたデジタルデータであり、１曲毎にトラック分けされ、トラック番号の指定によりいわゆる頭出しが可能なように構成されている。音声データは、制御部４６の制御によって、デジタル処理部４８により伸長処理などの処理を施され、左チャンネル（Ｌｃｈ）および右チャンネル（Ｒｃｈ）からなる２チャンネルのデジタル音声信号となる。
【００２５】
デジタル音声信号は、デジタル／アナログ変換器（Ｄ／Ａ）５０に供給され、アナログ音声信号に変換される。アナログ音声信号は、音声出力処理部５２に供給され、音声出力処理部５２により増幅処理などの処理を施される。左チャンネルの音声信号は左ユニット１０のドライバ５４に供給されて左チャンネルの音声として出力され、右チャンネルの音声信号は右ユニット２０のドライバ７２に供給されて右チャンネルの音声として出力される。なお、右チャンネルの音声信号は、バンド３０に挿通された信号線８６を通じて、左ユニット１０の音声出力処理部５２から右ユニット２０のドライバ７２に供給される。
【００２６】
バンド３０には、前述したように、バンド３０に作用してバンド３０を撓ませる圧力の変化を検出する第１の装着センサ８４が挿通されている。第１の装着センサ８４は、圧電素子からなり、バンド３０に作用してバンド３０を撓ませる圧力の変化を検出し、圧力の変化に応じた電圧を発生させる。圧電素子から発生した電圧は、アナログ／デジタル変換器（Ａ／Ｄ）５６により検出信号に変換されて制御部４６に供給される。
【００２７】
左ユニット１０には、ユーザによる左ユニット１０の装着を検出する第２の装着センサ５８が設けられている。第２の装着センサ５８は、左ユニット１０の出力部１２の近傍に配置され（図１参照）、左耳に対する左ユニット１０の装着／非装着を検出する。第２の装着センサ５８は、左ユニット１０が左耳に接触することで生じる、例えば、抵抗値、静電容量の変化、変形、熱を検出して、左ユニット１０の装着／非装着を検出する。第２の装着センサ５８から発生した電圧は、制御部４６に供給される。
【００２８】
なお、本実施形態に係るヘッドホンでは、第２の装着センサ５８は、左ユニット１０にのみ設けられるが、両ユニット１０、２０に設けられてもよい。この場合、出力ユニット１０、２０の装着／非装着の検出精度を向上させることができる
【００２９】
両ユニット１０、２０に配置されたキー６０、７４に対する操作は、操作信号として制御部４６により検知される。なお、右ユニット２０からの操作信号は、バンド３０に挿通された信号線８６を通じて、左ユニット１０の制御部４６に供給される。
【００３０】
左ユニット１０には、ホールド状態を切替えるためのホールドスイッチ６２が設けられている。ホールドスイッチ６２は、ユーザによりホールド状態、非ホールド状態に切替えられ、スイッチ６２の状態が制御部４６により検出される。制御部４６は、ホールド状態では、キー６０、７２に対する操作を無効とし、非ホールド状態ではキー６０、７２に対する操作を有効として処理を行う。
【００３１】
図３は、出力ユニットを接続するためにバンドに挿通される線材の配置を示す説明図である。図４は、バンドの横断面および出力ユニット間の配線構成を示す説明図である。
【００３２】
バンド３０は、前述したように、一端に左ユニット１０が連結され、他端に右ユニット２０が連結されている。左ユニット１０には、前述したメモリ４４、制御部４６、各種処理部などの構成要素を搭載した基板１４が内蔵され、右ユニット２０には接続用基板２４および充電池２６が内蔵されている。バンド３０には、形状維持材８２、圧電素子８４、および電源線、信号線などの線材８６が挿通されている。線材８６はフィルム状の圧電素子８４により被覆され、圧電素子８４は網線により被覆されている。線材８６は、例えば、左チャンネル信号線、信号線（ＧＮＤ）、電源線（＋）、電源線（ＧＮＤ）、サーミスタ監視用信号線、キー操作用信号線などである。
【００３３】
圧電素子８４は、圧力、振動などを印加されると、圧電効果によって、印加された圧力、振動に応じた電圧を発生させる。圧電素子８４は、バンド３０の右端から左端へ挿通され、左端部の両面に接続された２本の線材がアナログ／デジタル変換器５６に導出される。圧電素子８４は、バンド３０に加えられる衝撃などの影響を受けずに、バンド３０の装着／非装着に際してバンド３０に作用する圧力を正確に検出するために、弾力性を有する被覆材などにより被覆された状態でバンド３０に挿通されることが望ましい。
【００３４】
図５は、ヘッドホンの再生開始時の動作を示すフロー図である。ヘッドホンには、再生開始前の待機モードにおいて、バンド３０の非装着状態から装着状態への移行を第１の装着センサ８４を用いて制御部４６により検出するために必要な待機電源が投入されている。待機モードにおいて、バンド３０は、装着前の初期状態、つまり、外部からの圧力が作用しておらず、形状維持材８２の弾性に従って両ユニット１０、２０間の距離が規定されている状態にある。
【００３５】
待機モードにおいて、制御部４６は、第１の装着センサ８４を用いて、バンド３０が非装着状態から装着状態へ移行するかを判定する（Ｓ１０２）。なお、制御部４６は、バンド３０が装着状態へ移行していないと判定すると、処理Ｓ１０２に復帰して判定を継続する。
【００３６】
装着前の初期状態ではバンド３０に外部からの圧力が作用していないので、制御部４６は、初期状態の電圧Ｖ０を第１の装着センサ８４から供給される。そして、ヘッドホンの装着に際して、左ユニット１０および右ユニット２０が左側および右側に各々に移動されて、両ユニット１０、２０を遠ざけるような圧力がバンド３０に作用する。この状態で、ユーザに装着される側のバンド面（装着側面）には、バンド３０の軸線に沿って引張力が作用している。
【００３７】
バンド３０に圧力が作用すると、制御部４６は、バンド３０に作用する圧力の方向および絶対値に応じた電圧Ｖ１を第１の装着センサ８４から供給され、電圧Ｖ１が所定の閾値Ｖｔｈを超えると、バンド３０が非装着状態から装着状態へ移行したと判定する。
【００３８】
ここで、第１の装着センサ８４がバンド３０に作用する瞬間的な圧力の変化（つまり静的な圧力ではなく動的な圧力）を検出する場合には、制御部４６は、所定の期間に亘って検出された圧力の変化に対応する電圧の変化ΔＶの累積値ＳｕｍＶとして、バンド３０に作用する圧力を判定する。そして、制御部４６は、累積値ＳｕｍＶが所定の閾値Ｖｔｈを超えると、バンド３０が装着状態に移行したと判定する。
【００３９】
なお、以下では、バンド３０の装着側面をバンド３０の軸線に沿って引っ張るように作用する圧力を＋側の圧力と称し、＋側の圧力が作用すると、圧力の絶対値に応じた＋側の電圧が第１の装着センサ８４から供給される場合を想定する。
【００４０】
装着状態への移行を判定すると、制御部４６は、ヘッドホンを待機モードから動作モードへ移行させる。制御部４６は、まず、動作モードでの機能を確保するために電源を待機電源から主電源に切替え（Ｓ１０４）、次に、動作モードへの移行に際して必要な初期処理を行う（Ｓ１０６）。
【００４１】
ここで、初期処理の一例としては、メモリ４４に記憶されている音声データのデータベースを構築する処理が挙げられる。データベース構築処理では、メモリ４４に記憶されている音声データに対して、例えば、アルバム、アーティスト、楽曲名などをキーワードとする並替えが行われる。データベース構築処理は、音声データの数が多くなると多くの処理時間を要し、数秒の処理時間を要する場合もある。
【００４２】
このため、従来のヘッドホンでは、ヘッドホンの装着から再生開始に至るまでに時間を要し、利便性が低下してしまう場合があった。しかし、本実施形態に係るヘッドホンでは、ヘッドホンの装着前に、バンド３０が装着状態へ移行した時点で、初期処理が開始されるので、ヘッドホンの装着から再生開始までの待ち時間を短縮することができる。
【００４３】
初期処理が完了すると、制御部４６は、初期処理が完了した後の経過時間を計測するために、例えば制御部４６に内蔵されたタイマを始動させる（Ｓ１０８）。また、待機モードでホールド状態が維持されていた場合には、制御部４６は、非ホールド状態に設定する（Ｓ１１０）。制御部４６は、初期処理が完了した後に所定の時間が経過したかを判定する（Ｓ１１２）。音声データの再生開始に至るまでに所定の時間が経過すると、制御部４６は、ヘッドホンを動作モードから待機モードに移行させる。そして、待機モードでホールド状態を設定する場合には、制御部４６は、ホールド状態に設定する（Ｓ１２０）。制御部４６は、電源を主電源から待機電源に切替えて（Ｓ１２２）、処理Ｓ１０２に復帰してバンド３０の装着状態の移行を判定する。
【００４４】
処理Ｓ１１２において所定の時間が経過していなければ、制御部４６は、第１の装着センサ８４を用いて、バンド３０が装着されているかを判定する（Ｓ１１４）。なお、制御部４６は、バンド３０が装着されていないと判定すると、処理Ｓ１１２に復帰して所定の時間が経過しているかを判定する。
【００４５】
ヘッドホンの装着に際して、バンド３０は、ユーザの略顔面幅より大きめに両ユニット１０、２０を遠ざけるように撓められて保持された状態（非装着状態から装着状態への移行）から、撓み状態の保持が解かれて形状維持材８２の弾性により両ユニット１０、２０を近づけるように撓む。そして、バンド３０は、ユーザの後頭部に装着されて、装着前の初期状態に対して両ユニット１０、２０を遠ざけるように撓んだ状態となる。
【００４６】
これにより、装着状態へ移行した後に、バンド３０には、両ユニット１０、２０を近づける方向の圧力（−側の圧力）が一旦作用し、バンド３０がユーザに装着されて、初期状態に対して両ユニット１０、２０を遠ざける方向の圧力（＋側の圧力）Ｖ２（Ｖ０＜Ｖ２＜Ｖ１）が作用する状態となる。制御部４６は、バンド３０に作用する圧力の変化に応じた電圧を第１の装着センサ８４から供給され、上述したような電圧の変化を検出することで、バンド３０が装着されたと判定する。
【００４７】
なお、バンド３０が装着された状態で検出される圧力Ｖ２は、装着前の初期状態における両ユニット１０、２０間の距離と、平均的なユーザの略顔面幅の寸法により、所定の範囲の値として予め規定される。このため、バンド３０が装着された状態で検出される圧力Ｖ２が所定の範囲内の値であるかを判定することで、バンド３０の装着に関する誤判定を抑制することができる。
【００４８】
バンド３０が装着されていると判定すると、制御部４６は、第２の装着センサ５８を用いて、出力ユニット１０、２０が装着されているかを判定する（Ｓ１１６）。なお、制御部４６は、出力ユニット１０、２０が装着されていないと判定すると、処理Ｓ１１２に復帰して所定の時間が経過しているかを判定する。
【００４９】
左ユニット１０が左耳に装着されてユーザの耳介／頭部に接触すると、制御部４６は、例えばユーザに対する左ユニット１０の接触を介して、第２の装着センサ５８から供給される電圧が所定の閾値を越えると、左ユニット１０が装着されていると判定する。ここで、第２の装着センサが両ユニット１０、２０に設けられる場合には、制御部４６は、両ユニット１０、２０が装着されているかを判定する。
【００５０】
そして、出力ユニット１０、２０が装着されていると判定すると、制御部４６は、音声データの再生を開始させるための処理を行う（Ｓ１１８）。
【００５１】
（再生停止動作）
図６は、ヘッドホンの再生停止時の動作を示すフロー図である。ヘッドホンには、再生実行時の動作モードにおいて、動作モードでの機能を確保するために主電源が投入されている。動作モードにおいて、バンド３０は、ユーザの後頭部に装着された状態、つまり、形状維持材８２の弾性に抗して、初期状態よりも両ユニット１０、２０を遠ざける方向の圧力Ｖ２（＋側の圧力）が作用する状態にある。
【００５２】
動作モードにおいて、制御部４６は、第２の装着センサ５８を用いて、出力ユニット１０、２０が装着されていないかを判定する（Ｓ１３２）。なお、制御部４６は、出力ユニット１０、２０が装着されていると判定すると、処理Ｓ１３２に復帰して判定を継続する。
【００５３】
左ユニット１０が装着されている状態では、左ユニット１０が左耳に装着されてユーザの耳介／頭部に接触しているので、制御部４６は、第２の装着センサ５８から所定の閾値を越える電圧を供給されている。そして、ヘッドホンを外す際に、左ユニット１０が外されると、第２の装着センサ５８から所定の閾値を超える電圧が供給されなくなり、制御部４６は、左ユニット１０が装着されていないと判定する。ここで、第２の装着センサが両ユニット１０、２０に設けられる場合には、制御部４６は、両ユニット１０、２０が装着されていないかを判定する。
【００５４】
出力ユニット１０、２０が装着されていないと判定すると、制御部４６は、第１の装着センサ８４を用いて、バンド３０が装着されていないかを判定する（Ｓ１３４）。なお、制御部４６は、バンド３０が装着されていると判定すると、処理Ｓ１３２に復帰して判定を継続する。
【００５５】
ヘッドホンを外すに際して、バンド３０は、ユーザの後頭部に装着された状態からユーザの略顔面幅より大きめに両ユニット１０、２０を遠ざけるように撓められた状態で保持され、ユーザの後頭部から外されて、撓み状態の保持が解かれる。すると、バンド３０は、形状維持材８２の弾性により両ユニット１０、２０を近づけるように撓み、装着前の初期状態に戻る。
【００５６】
これにより、バンド３０には、両ユニット１０、２０を遠ざける方向の圧力（＋側の圧力）が一旦作用し、バンド３０がユーザから外されて、両ユニット１０、２０を近づける方向の圧力（−側の圧力）が作用した後に、初期状態の圧力Ｖ０（Ｖ０＜Ｖ２）が作用する状態となる。制御部４６は、バンド３０に作用する圧力の変化に応じた電圧を第１の装着センサ８４から供給され、上述したような電圧の変化を検出することで、バンド３０が装着されていない（外された）と判定する。
【００５７】
なお、形状維持材８２の特性に応じては、外されたバンド３０に塑性歪みが残留することで、完全に初期状態に復帰しない場合もある。この場合には、バンド３０が外された状態で検出される圧力Ｖ０’が初期状態の圧力Ｖ０と完全に一致しなくなる（Ｖ０≠Ｖ０’）ので、所定の検出クリアランスを設けることが望ましい。
【００５８】
そして、バンド３０が装着されていないと判定すると、制御部４６は、音声データの再生を停止させるための処理を行う（Ｓ１３６）。
【００５９】
そして、再生停止処理を行うと、制御部４６は、再生停止処理が完了した後の経過時間を計測するために、タイマを始動させる（Ｓ１３８）。制御部４６は、再生停止処理が完了した後に所定の経過時間が経過したかを判定する（Ｓ１４０）。そして、再生停止処理の完了から所定の時間が経過すると、制御部４６は、ヘッドホンを動作モードから待機モードへ移行させる。待機モードでホールド状態を設定する場合には、制御部４６は、ホールド状態に設定する（Ｓ１４２）。また、制御部４６は、待機モードでの電力消費を抑制するために電源を主電源から待機電源に切替える（Ｓ１４４）。
【００６０】
待機モードへ移行すると、制御部４６は、処理Ｓ１０２へ復帰して、待機モードにおいて前述した再生開始時の動作を開始する。
【００６１】
以上説明したように、本実施形態に係るヘッドホンによれば、第１の装着センサ８４を用いて、バンド３０に作用してバンド３０を撓ませる圧力の変化を検出し、検出結果に基づいてバンド３０の装着／非装着が検出され、音声再生の開始／停止が制御されるので、ヘッドホンの装着時／非装着時における利便性を向上させることができる。また、バンド３０に挿通された第１の装着センサ８４によりバンド３０の装着／非装着が検出されるので、出力ユニット１０、２０にセンサを単独で設ける場合に比して、出力ユニット１０、２０の大型化を抑制することができる。
【００６２】
また、第１の装着センサ８４を用いてバンド３０の非装着状態から装着状態への移行を検出することで、ユーザに対する出力ユニット１０、２０の接触を介してヘッドホンの装着が検出された後に初期処理を行う場合に比して、初期処理の実行開始を早めて、装着から再生開始までに要する時間を短縮することができる。
【００６３】
なお、上記実施形態では、ユーザに対する出力ユニット１０、２０の装着／非装着を検出するために、第２の装着センサ５８が設けられる場合について説明した。しかし、第２の装着センサ５８が設けられない場合でも、出力ユニット１０、２０の装着／非装着が検出されないが、上述したように、バンド３０の装着／非装着が検出されることにより、ヘッドホンの装着時／非装着時における利便性を向上させることができる。
【００６４】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００６５】
【図１】本発明の一実施形態に係るヘッドホンの外観を示す説明図である。
【図２】ヘッドホンの主要な構成要素を示す説明図である。
【図３】出力ユニットを接続するためにバンドに挿通される線材の配置を示す説明図である。
【図４】バンドの横断面および出力ユニット間の配線構成を示す説明図である。
【図５】ヘッドホンの再生開始時の動作を示すフロー図である。
【図６】ヘッドホンの再生停止時の動作を示すフロー図である。
【符号の説明】
【００６６】
１０    左ユニット
２０    右ユニット
３０    バンド
４６    制御部
８４    第１の装着センサ
【図１】
2009278268.tif 000003
【図２】
2009278268.tif 000004
【図３】
2009278268.tif 000005
【図４】
2009278268.tif 000006
【図５】
2009278268.tif 000007
【図６】
2009278268.tif 000008